(57)【特許請求の範囲】
【請求項１】
機器本体（１）に、軸部（７）を有するプラグ（４）が機器本体（１）に対し収納姿勢と突出姿勢とにわたって軸部（７）まわりに回動自在に軸支された電気機器において、
プラグ（４）の軸部（７）以外の箇所に、機器本体（１）側に設けた被係合部（１４）と所定の間隔（Ｇ）を置いて配備された係合部（１３）を設け、プラグ（４）の突出姿勢時にプラグ（４）が機器本体（１）から離脱しようとしても、係合部（１３）が被係合部（１４）に抜け止め状に係合するように設定してあることを特徴とする電気機器のプラグ離脱防止装置。
【発明の詳細な説明】
【０００１】
【発明の属する技術分野】
本発明は、プラグが内蔵された電気機器のプラグ離脱防止装置に関する。
【０００２】
【従来の技術】
この種の電気機器には、例えば、充電式の電気かみそりや電気バリカン、あるいは携帯用照明機器などがあり、これら機器においてプラグが常態時には機器本体に対し収納され、充電時にプラグを軸まわりに回動させて機器本体から突出させ、コンセントに差し込み可能にする仕様のものがある。
【０００３】
【発明が解決しようとする課題】
しかるに、不用意にも、電気機器がプラグを突出させたままの状態で床などに落下させることがある。この落下衝撃により、プラグが機器本体から完全に外れてしまわないものの、プラグの応力集中を起こしやすい軸部、またはその軸部を支持する機器本体側の軸支部分が破損することがある。こうした破損状態は機器本体の内部で生じているため、一般的には気付くことが少ない。このため、次にコンセントに差し込んで充電し、充電後コンセントから抜き出す時にコンセントとの摺動摩擦ではじめてプラグが機器本体の前記破損箇所から完全に外れてコンセント側に残ったままになり、慌てて、そのコンセント側に残ったプラグを手で触ってコンセントから抜こうとするが、このときプラグの先端が未だ通電状態にあるため、プラグの刃物部分などに指が触れて感電するおそれがあった。
【０００４】
本発明の目的はこうした問題を解消するためになされたもので、プラグの軸部またはその軸部を支持する機器本体側の軸支部分が破損した場合もプラグの機器本体からの完全離脱を防止でき、感電事故からの防護を図る点にある。
【０００５】
【課題を解決するための手段】
本発明は、機器本体１に、軸部７を有するプラグ４が機器本体１に対し収納姿勢と突出姿勢とにわたって軸部７まわりに回動自在に軸支された電気機器において、プラグ４と機器本体１との間に次のような離脱防止手段を備えたことを特徴とする。
上記離脱防止手段は、プラグ４の軸部７以外の箇所に係合部１３を設け、プラグ４の突出姿勢時に、その係合部１３が機器本体１側に設けた被係合部１４に対し抜け止め状に係合するようにしたものである。
【０００６】
【作用】
充電時に、既に落下事故などによりプラグ４の軸部７またはその軸部７を支持する機器本体１側の軸支部分が破損している場合も、充電後、機器本体１をコンセントから抜き出すときに、プラグ４が前記破損箇所を発端にして機器本体１から離脱しようとしても、係合部１３が被係合部１４に係合することで、プラグ４の機器本体１からの離脱防止を図ることができる。従って、プラグ４が機器本体１から抜け出てコンセント側に差し込まれたまま残る、という不測事態の発生を未然に防止できる。
【０００７】
【発明の実施の形態】
（第１実施例）
本発明の第１実施例を図１ないし図３に基づき説明する。図１は充電式電気かみそりのプラグ内蔵部分をプラグ突出状態で示す平面図、図２はそのプラグ内蔵部分の縦断側面図、図３は充電式電気かみそり全体の外観斜視図である。各図において、１は電気かみそりの機器本体、２は機器本体１に内蔵した回路基板、３は回路基板２に搭載した充電式の電池、４はプラグである。プラグ４は、プラスチック製のプラグ刃台５に２本のプラグ刃６・６を各後端６ａがプラグ刃台５の背面側に露出するよう埋設してある。プラグ刃台５の両側には軸部７・７を突設する一方、機器本体１のプラグ収納凹部９内の両側壁部１０・１０に軸穴１１・１１を設けて、この軸穴１１・１１に前記軸部７・７をはめ込むことによりプラグ４がプラグ収納凹部９内に収納される姿勢とプラグ収納凹部９から突出する姿勢とにわたって軸部７・７まわりに回動自在に取り付けられる。プラグ４の突出姿勢では、プラグ刃６・６の後端６ａ・６ａが回路基板２上の端子板１２に接触して該基板２上の充電回路と通電する状態が得られる。
【０００８】
このように取り付けられたプラグ４は、突出姿勢の下で、不慮にも落下したとき、例えば、プラグ刃６が図１中、Ａ方向またはＡ′方向から衝撃荷重を受けると、機器本体１の側壁部１０の軸穴１１の内底部に亀裂Ｃが生じて側壁部１０の一部１０ａが欠損しやすい。また図１中、Ｂ方向から衝撃荷重を受けると、軸部７の付け根部に亀裂Ｃが生じて該軸部７が欠損しやすい。前述したように、充電するに際し、こうした破損状態に気付かないままプラグ４をコンセントに差し込み、充電後、機器本体１をコンセントから抜き出すとき、プラグ４が前記破損箇所を発端にして機器本体１から離脱してコンセント側に差し込まれたまま残り、このとき慌ててそのプラグ４を手で触ってコンセントから抜き出そうとするが、このときに未だ通電状態にあるプラグ刃６に指が触れて感電するおそれがある。
【０００９】
そこで、プラグ刃６の後端６ａを外向きに屈曲して係合部１３を形成する一方、機器本体１の側壁部１０（但し、前記落下衝撃により欠落する一部１０ａを除く）を利用してこれを被係合部１４とし、そのうえで、プラグ４が突出すると被係合部１４の内奥に前記係合部１３が位置するようにした。
しかるときは、コンセントに差し込まれた機器本体１を抜き出すときに、プラグ４が引張力を受けて機器本体１から前記破損箇所を発端にして離脱しようとしても、係合部１３が被係合部１４で受け止められる。このためプラグ４が機器本体１から離脱してコンセントに差し込まれたまま残るようなことがない。従って、プラグ４のみがコンセントに残されたときにこれを手で触って抜き出す場合に生じる感電事故を予防できる。
【００１０】
その際、不慮の落下事故により、前記軸部７または側壁部１０の一部１０ａが破損すると同時に、またはその破損前に、係合部１３と被係合部１４とが相対的に衝撃破損することのないように、係合部１３は被係合部１４の内奥に所定の間隔Ｇを置いて対向配備する。係合部１３・１３は左右一対、設けてあるので、左右の軸部７・７または側壁部１０・１０の一部１０ａ・１０ａの左側または右側のいずれ側が破損している場合にもこれに対処できる。
【００１１】
（第２実施例）
図４は本発明の第２実施例を示す。この実施例では、第１実施例が係合部１３をプラグ刃６の後端６ａに一体に設けるに代えて、プラグ刃台５に一対のＬ形状の係合部１３を一体に成形したり、またはプラグ刃台５にこれとは別体の係合部１３をインサート成形や溶着、接着止めなどで取り付けたものである。その他の構成は第１実施例の場合と同様である。
【００１２】
（第３実施例）
図５および図６は本発明の第３実施例を示す。この実施例では、プラグ４がプラグ刃６の後端６ａをプラグ刃台５の両側面５ａ・５ａに露出し、この後端６ａに端子板１２を接触させる仕様である。かかる仕様のものにおいて、プラグ刃台５の背面側にフック形状の係合部１３を突設する一方、機器本体１側の端子板１２を保持する壁部１４を利用してこれを被係合部１４としたものである。その他の構成は第１実施例の場合と同様である。
なお、本発明は充電式電気かみそり以外に、例えば、充電式の電気バリカンや携帯用照明機器などのような充電式電気機器、あるいは廊下等のコンセントに差し入れて電球を点灯する足元灯のような、充電池を内蔵しないプラグ内蔵タイプの電気機器などにも同様に適用できることは言うまでもない。
【００１３】
【発明の効果】
本発明によれば、プラグ４の軸部７以外の箇所に係合部１３を設け、プラグ４の突出姿勢時に、その係合部１３を機器本体１側の被係合部１４に対し抜け止め状に係合するという簡単な手段で、プラグ４の軸部７またはその軸部７を支持する機器本体１側の軸支部が破損した場合もプラグ４の機器本体１からの離脱を防止でき、感電事故防止を図れて安全性に優れる。
【図面の簡単な説明】
【図１】第１実施例の電気かみそりのプラグ内蔵部分をプラグ突出状態で示す平面図である。
【図２】第１実施例の電気かみそりのプラグ内蔵部分をプラグ突出状態で示す縦断側面図である。
【図３】第１実施例の電気かみそり全体の外観斜視図である。
【図４】第２実施例の電気かみそりのプラグ内蔵部分をプラグ突出状態で示す平面図である。
【図５】第３実施例の電気かみそりのプラグ内蔵部分をプラグ突出状態で示す縦断側面図である。
【図６】第３実施例の電気かみそりのプラグ内蔵部分をプラグ突出状態で示す斜視図である。
【符号の説明】
１  機器本体
４  プラグ
５  プラグ刃台
６  プラグ刃
７  軸部
１３  係合部
１４  被係合部
【図１】
0003713846.tif 000002
【図２】
0003713846.tif 000003
【図３】
0003713846.tif 000004
【図４】
0003713846.tif 000005
【図５】
0003713846.tif 000006
【図６】
0003713846.tif 000007